(57)【特許請求の範囲】
【請求項１】
机の天板に設けられた配線用の孔又は凹部を開閉する配線用孔等の開閉装置であって、
前記配線用の孔又は凹部に取り付けられた枠状の固定部と、
前記固定部にスライド自在に設けられ前記配線用の孔又は凹部を開閉する開閉蓋と、
前記開閉蓋のスライド方向に沿った前記配線用の孔又は凹部の側壁に対向配置される、前記固定部の側面部に設けられた係止部と、
前記開閉蓋に設けられ、前記開閉蓋に所定のスライド力が加えられた際に、前記係止部に係止され又は係止解除される係止片と、
を備え、
前記開閉蓋を開方向にスライドさせた際、前記配線用の孔又は凹部の上部を覆っていた当該開閉蓋が前記天板の上面に移動することで前記配線用の孔又は凹部が開放される、配線用孔等の開閉装置。
【請求項２】
前記係止部は、前記開閉蓋のスライド方向に複数設けられている請求項１に記載の配線用孔等の開閉装置。
【請求項３】
前記配線用の孔又は凹部は前記天板の端部に設けられ、前記開閉蓋が前記天板の中心側にスライドするのに伴って、前記配線用の孔又は凹部における開口面積が大きくなる請求項１または２に記載の配線用孔等の開閉装置。
【請求項４】
前記配線用の孔又は凹部の下側に、前記配線を受ける配線受トレイが設けられている請求項１から３の何れか１項に記載の配線用孔等の開閉装置。
【請求項５】
配線用の孔又は凹部を有する天板と、請求項１から４の何れか１項に記載の配線用孔等の開閉装置と、
を備える机。
【発明の詳細な説明】
【技術分野】
【０００１】
本発明は、配線用孔等の開閉技術及びこれを適用した机に関する。
【背景技術】
【０００２】
机の上には、電気スタンドなど各種の電気機器を取り付け、又は載置することが多い。これらの電気機器に接続される配線は、壁面等のコンセントから床面を引き回され、その端部が机の上側に引き上げられて電気機器に接続される。
【０００３】
一方、机はその奥側（利用者の反対側）を壁やパーティーション（仕切り板）等に接近させて置かれることが多い。この場合、机上の電気機器に接続する配線を机と壁等の隙間を通して机の上に持ち上げることは困難になる。
【０００４】
そこで、従来、天板の奥側に配線を机の下から上側に引き上げるための孔又は凹部（以下、配線用孔等と呼ぶ。）を設けると共に、配線が不要な場合には、配線用孔等を閉塞する技術が提案されている（例えば、特許文献１，２参照）。
【０００５】
従来の配線用孔等の開閉技術は、配線用孔等に蓋を着脱自在に設け、配線用孔等に配線を通す場合は開閉蓋を取り外して配線用孔等を開き、配線用孔等に配線を通さない場合には、蓋を取り付けて配線用孔等を閉塞するように構成されていた。
【０００６】
【特許文献１】特開２００６−２８１５４９号公報
【特許文献２】特開２００３−２３５６４９号公報
【特許文献３】特開２００６−１４９７３５号公報
【特許文献４】特開２００６−１３６５８８号公報
【特許文献５】特開平１１−１２７９７７号公報
【発明の開示】
【発明が解決しようとする課題】
【０００７】
しかしながら、従来の配線用孔等の開閉技術は、配線用孔等に通す配線の量が少ない場合でも開閉蓋を天板から取り外し、配線用孔等を全開にしていたため、配線用孔等の開口における内周面と配線との間に比較的大きな隙間が空き、この隙間から天板上の物が落下するという問題があった。また、机から取り外した開閉蓋は、机と分離して比較的長期間に亘って他の場所に保管することになるため、場合によっては紛失してしまうことがあった。
【０００８】
本発明は、このような問題に鑑みなされたもので、机における配線用孔等の開口面積を調整できると共に、開閉蓋を天板から取り外すことなく配線用孔等を全開にでき、これにより開閉蓋が紛失するのを防止できる配線用孔等の開閉装置の提供を課題とする。
【課題を解決するための手段】
【０００９】
本発明は、前記課題を解決するため、以下の手段を採用した。
すなわち、本発明の配線用孔等の開閉装置は、
机の天板に設けられた配線用の孔又は凹部を開閉する配線用孔等の開閉装置であって、
前記天板にスライド自在に設けられ前記配線用の孔又は凹部を開閉する開閉蓋と、
前記配線用の孔若しくは凹部、又は前記開閉蓋の何れか一方に設けられた係止部と、
他方に設けられ前記開閉蓋に所定のスライド力が加えられた際に、前記係止部に係止され又は係止解除される係止片と、
を備える。
【００１０】
本発明によれば、開閉蓋のスライド量を調整することにより、配線用孔等に通す配線の量に応じて、配線用孔等における開口面積を簡単に調整できる。例えば、配線の量が少ない場合には、配線用孔等における開口面積を小さくし、配線と開口の内周縁との隙間を小さくして、この隙間から机上の物が落下するのを抑制できる。また、開閉蓋を配線用孔等の全開位置までスライドさせることにより、配線用孔等を全開にできるので、開閉蓋を天板から取り外す必要がく、開閉蓋が紛失するのを防止できる。
【００１１】
ここで、前記係止部は、前記開閉蓋のスライド方向に複数設けられている構成にできる。この構成によれば、配線用孔等の開口面積を段階的に調整できる。
【００１２】
また、前記配線用の孔又は凹部は前記天板の端部に設けられ、前記開閉蓋が前記天板の中心側にスライドするのに伴って、前記配線用の孔又は凹部における開口面積が大きくなる構成にできる。この構成により、開閉蓋が天板の側方に突出するのを回避できる。
【００１３】
また、前記配線用の孔又は凹部の下側に、前記配線を受ける配線受トレイが設けられている構成にできる。この構成によれば、机の下側に配置された配線が邪魔になるのを回避できる。
【００１４】
また、本発明の机は、配線用の孔又は凹部を有する天板と、上記配線用孔等の開閉装置と、を備える。本発明によれば、配線用孔等に通す配線の量が少ない場合でも、天板上のものが配線用孔等から落下するのを抑制できると共に、配線用孔等の開閉蓋が紛失するのを防止できる。
【発明の効果】
【００１５】
本発明によれば、配線用孔等に通された配線量が少ない場合、配線用孔等の開口面積を比較的小さく調整できるので、配線用孔等の開口における内周縁と配線との間の隙間から机上の物が落下するのを抑制できる。また、開閉蓋を天板から取り外すことなく配線用孔等の開口面積を調整できるので、開閉蓋が紛失するのを防止できる。
【発明を実施するための最良の形態】
【００１６】
以下、本発明に係る配線用孔等の開閉装置及び机の実施の形態を、添付した図面に基づいて詳細に説明する。なお、以下の実施形態は一実施例であり、本発明は実施形態に限定されない。
【００１７】
図１は、本実施形態の机１を示す。この机１は、天板１１と、この天板１１を支持する脚部１２と、天板１１における奥側の端縁に設けられた配線用孔等の開閉装置（以下、開閉装置と呼ぶ。）１３と、を備えている。天板１１は、略長方形に形成されている。脚部１２は、天板１１の両側に設けられている。なお、図１から図１７中の「手前」、「奥」、「右」、「左」、「上」、「下」は机１を利用者が通常の姿勢で利用する際に、利用者から見た方向である。
【００１８】
机１の奥側には、図２に示すように、配線を受けるための配線受トレイ１４が開閉装置１３より下側に設けられている。本実施形態では、配線受トレイ１４は、図３にも示すように、天板１１の左右方向に互いに間隔を開けて３個設けられている。また、配線受トレイ１４の下側には幅の狭い小トレイ３５が設けられている。
【００１９】
開閉装置１３は、図４に示すように、天板１１に設けられた配線用孔又は凹部、本実施形態では配線用凹部１５に取り付けられる固定部１６と、この固定部１６にスライド自在
に設けられる開閉蓋１７とを有している。
【００２０】
配線用凹部１５は、略長方形に形成されている。固定部１６は、配線用凹部１５内に嵌め込み可能な略コ字状に形成されている。すなわち、固定部１６は、互いに平行に配置された一対の短辺部１８と、これらの短辺部１８における一端を連結する長辺部１９とによって、コ字状の形成されている。
【００２１】
各短辺部１８の内面には、短辺部１８の先端から長辺部１９の間に互いに間隔を開けて配置された複数個、本実施形態では三個の係止部２０が設けられている。これらの係止部２０は、図５に示すように、互いに間隔を空けて設けられた一対の突出片２０ａ，２０ａを有している。これらの突出片２０ａ，２０ａにおける上下の隙間は、図６に示すように、突出片２０ａと同一の突出量を有する長尺な板部２２，２２によって塞がれている。これにより、係止部２０には、包囲空間２２ａが形成されている。
【００２２】
また、図４に示すように、各短辺部１８の外側面には、配線用凹部１５における両側壁１５ａ，１５ａを挟持する挟持部３０が設けられている。この挟持部３０は、短辺部１８の上下端から側方に突出する挟持辺３０ａ，３０ｂを有している。上側の挟持辺３０ａは、短辺部１８にのみ設けられている。下側の挟持辺３０ｂは、一方の短辺部１８から長辺部１９の周囲を経て他方の短辺部１８まで連続して設けられている。
【００２３】
開閉装置１３を天板１１に取り付ける際には、天板１１の配線用凹部１５に固定部１６を取り付ける。この際、固定部１６における挟持部３０によって、配線用凹部１５の側壁部が挟持されるので、固定部１６が天板１１から不用意に外れるのを防止できる。
【００２４】
更に、両側の短辺部１８，１８における互いの対向面の上部側には、開閉蓋１７のスライドを案内する断面が略Ｌ字状のガイド部３１，３１が設けられている。これらのガイド部３１は、開閉蓋１７における横蓋２５の裏面が当接する水平面３１ａと、横蓋２５の側面を案内する垂直面３１ｂとを有している。
【００２５】
また、図４の開閉蓋１７は、固定部１６における短辺部１８，１８及び長辺部１９によって囲まれる空間上に配置される横蓋２５と、この横蓋２５の一端から直交する方向に伸び固定部１６の長辺部１９と対向する縦蓋２６とを有している。横蓋２５と縦蓋２６は、その断面が略Ｌ字状を形成している。
【００２６】
縦蓋２６の両端には、図７に示すように、横蓋２５側に伸びる断面が略Ｌ字状の突出部２７が設けられている。突出部２７は、所定の弾性を有している。この突出部２７の先端側には、図８に示すように、外側に突出する係止片２７ａ，２７ａが設けられている。これにより、開閉蓋１７が所定のスライド力によってスライドした際に、係止片２７ａが固定部１６の係止部２０における突出片２０ａによって相対的に押されて変形し、突出片２０ａを乗り越える。これにより、係止片２７ａが係止部２０に係止され又は係止解除される。
【００２７】
配線受トレイ１４は、図９に示すように、天板１１の中間部及び両端部側に設けられている。これらの配線受トレイ１４は、比較的横長で水平方向に配置される皿状の受け部１４ａと、この受け部１４ａの両側から上方に突出する取付部１４ｂとを有している。本実施形態では、図１０に示すように、配線受トレイ１４の下側にも受容量の小さい小トレイ３５が設けられている。この小トレイ３５は、両側の脚部１２間に全体に亘って設けられている。
【００２８】
ここで、図１１に示すように、例えば二個の机１，１を対向させて配置する場合がある
。この場合、図１２に示すように、両方の小トレイ３５，３５の間に掛け渡す連結皿３６を設けることができる。これにより、トレイの受容量を大きくできる。
【００２９】
次に、開閉装置１３の作用を説明する。配線用凹部１５の上下の開口を完全に閉塞する場合は、図１３に示すように、開閉蓋１７の縦蓋２６が天板１１における外周面１１ａと略面一になる位置（以下、全閉位置と呼ぶ。）に開閉蓋１７を配置する。この場合、図１４に示すように、縦蓋２６の係止片２７ａが固定部１６の外側の係止部２０における突出片２０ａ，２０ａと、板部２２，２２とによって囲まれた包囲空間２０ｂ内に挿入されて係止される。これにより、開閉蓋１７が固定部１６から脱落するのを防止できる。
【００３０】
図１５に示すように、開閉蓋１７に所定のスライド力が作用し、開閉蓋１７が全閉位置から開方向にスライドすると、開閉蓋１７の係止片２７ａ（図１４参照）は係止部２０の突出片２０ａを乗り越える。これにより、係止が解除される。更に、開閉蓋１７が開方向にスライドすると、縦蓋２６の係止片２７ａが固定部１６における中間の係止部２０（図１４参照）の包囲空間２０ｂ内に挿入されて係止される。これにより、開閉蓋１７は、開方向及び閉方向へのスライドが停止され、配線用凹部１５の上下の開口面積が比較的小さい状態で保持される。
【００３１】
図１６に示すように、開閉蓋１７が更に開方向にスライドすると、係止片２７ａが最も内側の係止部２０の包囲空間２０ｂ内に挿入されて係止される。そして、配線用凹部１５の上下の開口面積が更に大きい状態で保持される。更に、開閉蓋１７が開方向にスライドすると、図１７に示すように、係止片２７ａが固定部１６に当接して停止し、配線用凹部１５の上下の開口面積が最大になる。
【００３２】
開閉蓋１７を開方向又は閉方向にスライドする際には、固定部１６のガイド部３１，３１によってスライド方向が規制される。これにより、開閉蓋１７を開方向又は閉方向に確実に且つ滑らかにスライドさせることができる。
【００３３】
このように、本発明の机１は、天板１１の配線用凹部１５に開閉装置１３が設けられ、この開閉装置１３の開閉蓋１７をスライドさせることにより、配線用凹部１５の上下の開口面積を調整できる。従って、例えば配線用凹部１５に通す配線の量が小さい場合には、配線用凹部１５の開口面積を小さくすることにより、配線と配線用凹部１５の開口の周縁との隙間から天板１１上のものが落下するのを抑制できる。
【００３４】
また、開閉蓋１７を固定部１６から取り外すことなく、配線用凹部１５の上下方向の開口を全開又は全閉にできるので、開閉蓋１７を固定部１６すなわち天板１１とは別の場所に保管することはない。従って、開閉蓋１７が紛失するのを防止できる。
【００３５】
なお、上記の実施形態では、天板１１に配線用凹部１５を設けた場合について説明したが、配線用凹部１５に代えて配線用の孔を設けた場合にも、本発明を適用できる。
【図面の簡単な説明】
【００３６】
【図１】実施形態に係る机を手前側から見たときの斜視図である。
【図２】実施形態に係る机を奥側から見たときの斜視図であり、図１のＡ矢視図である。
【図３】実施形態に係る机の天板と脚部とを分離した状態を示す斜視図である。
【図４】実施形態に係る配線用凹部及び開閉部を示す斜視図である。
【図５】実施形態に係る開閉部の係止部を示す図であり、図４のＢ−Ｂ断面図である。
【図６】実施形態に係る開閉部の係止部を示す図であり、図５のＣ−Ｃ断面図である。
【図７】実施形態に係る開閉蓋の係止片を示す側面図であり、図４のＤ矢視図である。
【図８】実施形態に係る開閉蓋の係止片を示す断面図であり、図７のＥ−Ｅ断面図である。
【図９】実施形態に係る配線受トレイ及び小トレイを示す正面図であり、図３のＦ矢視図である。
【図１０】実施形態に係る配線受トレイ及び小トレイを示す側面図であり、図９のＧ矢視図である。
【図１１】実施形態に係る机を対向させて二個配置した状態を示す上面図である。
【図１２】実施形態に係る机を対向させて二個配置した状態を示す断面図であり、図１１のＨ−Ｈ断面図である。
【図１３】実施形態に係る開閉開閉蓋が全閉位置に配置されている状態を示す図である。
【図１４】実施形態に係る開閉部の固定部における係止部に開閉蓋の係止片が係止されている状態を示す断面図である。
【図１５】実施形態に係る開閉蓋が全閉位置から全開位置の中間で開口面積が比較的小さい場合の斜視図である。
【図１６】実施形態に係る開閉蓋が全閉位置から全開位置の中間で開口面積が比較的大きい場合の斜視図である。
【図１７】実施形態に係る開閉蓋が全開位置に配置されている状態を示す斜視図である。
【符号の説明】
【００３７】
１  机
１１  天板
１１ａ  天板の外周面
１２  脚部
１３  開閉装置
１４  配線受トレイ
１４ａ  受け部
１４ｂ  取付部
１５  配線用凹部
１５ａ  配線用凹部の側壁
１６  固定部
１７  開閉蓋
１８  固定部の短辺部
１９  固定部の長辺部
２０  固定部の係止部
２０ａ  係止部の突出片
２０ｂ  係止部の包囲空間
２２，２２  板部
２５  横蓋
２６  縦蓋
２７  突出部
２７ａ  係止片
３０  挟持部
３０ａ，３０ｂ  挟持辺
３１  ガイド部
３１ａ  ガイド部の水平面
３１ｂ  ガイド部の垂直面
３５  小トレイ
３６  連結皿
【図１】
0005268329.tif 000002
【図２】
0005268329.tif 000003
【図３】
0005268329.tif 000004
【図４】
0005268329.tif 000005
【図５】
0005268329.tif 000006
【図６】
0005268329.tif 000007
【図７】
0005268329.tif 000008
【図８】
0005268329.tif 000009
【図９】
0005268329.tif 000010
【図１０】
0005268329.tif 000011
【図１１】
0005268329.tif 000012
【図１２】
0005268329.tif 000013
【図１３】
0005268329.tif 000014
【図１４】
0005268329.tif 000015
【図１５】
0005268329.tif 000016
【図１６】
0005268329.tif 000017
【図１７】
0005268329.tif 000018